(57)【要約】【課題】騒音が大きいときでも騒音を増大させることがなく、音楽を聞き逃す恐れのない音響再生装置を提供する。【解決手段】携帯型音響再生装置１０内の制御部１０７は、周囲の騒音の音量が第１の値よりも大きい状態が第２の時間継続するかどうかを監視し、継続した場合は、復号部１０４に復号を停止させる。制御部１０７は再生を停止したら、周囲の騒音の音量が第３の値よりも小さい状態が第４の時間継続するかどうかを監視し、継続した場合は、再生停止時点よりも所定時間戻った時点から復号部１０４に復号を開始させる。これにより、周囲の騒音の音量が大きく発生したために再生停止するまでの間に聞き逃した部分があっても、周囲の騒音の音量が小さくなってから再生停止時点より戻った時点から再生されるので、聞き逃した部分は必ず再生され、聞き逃しを生じることがない。【選択図】図２
2012058355.tif 000002
【特許請求の範囲】
【請求項１】
再生すべき音源信号を記憶する記憶手段と、
前記記憶手段に記憶された音源信号を再生する再生手段と、
周囲の騒音の音量を検出する音量検出手段と、
前記再生手段で再生した音源信号を再生機器に向けて出力する出力端子と、
前記音量検出手段が検出した周囲の騒音の音量が所定の第１の値よりも大きい状態が第１の時間継続するときは前記再生手段の再生を停止するとともに、その後周囲の騒音の音量が所定の第２の値よりも小さい状態が第２の時間継続するときは前記再生手段の再生を停止した時点に対し前記第１の時間よりも長い所定時間に相当する再生開始側の時点から前記記憶手段に記憶された音源信号の前記再生手段による再生を開始させる制御手段と
を有することを特徴とする音響再生装置。
【発明の詳細な説明】
【技術分野】
【０００１】
本発明は音響再生装置に係り、特に携帯型の音響再生装置に関する。
【背景技術】
【０００２】
気軽に持ち運んで音楽や音声番組などを楽しむ携帯型の音響再生装置が各社から提供されている。携帯型音響再生装置で音楽を楽しむとき、周囲の音が全く聞こえないと危険なため、密閉型ヘッドホンはあまり使用されないが、周囲の騒音が大きいと音楽が聞き取りにくくなるという弊害がある。
【０００３】
ところで、従来から、音響再生される音量を、周囲の騒音量に応じて、聴取し易いように自動調整する騒音感応自動音量調整装置が提案されている（例えば、特許文献１参照）。このような騒音感応自動音量調整装置を用いれば、周囲の騒音が大きくても音楽を良好な状態で聴取することができる。
【０００４】
また、自動販売機などに使用されている音声合成装置などの音声出力装置において、周囲の騒音の量に応じて音声出力量を可変する構成の音声出力装置も提案されている（例えば、特許文献２参照）。
【０００５】
図４は、この特許文献２に記載の音声出力装置の一例のブロック図を示す。この音声出力装置では、音声合成装置１からの音声信号を利得可変アンプ２を通してスピーカ３より音声出力する。また、音声出力装置は、マイクロホン４で周囲の騒音に応じた音声信号を得て検波器５に供給し、騒音量に応じた検波信号を利得制御信号発生器６を通して利得制御信号として利得可変アンプ２に供給する。これにより、騒音量が大きいときには利得可変アンプ２の利得を大きくしてスピーカ３から出力される音声出力量を増やし、騒音量が小さいときには利得可変アンプ２の利得を小さくしてスピーカ３から出力される音声出力量を減らす。
【先行技術文献】
【特許文献】
【０００６】
【特許文献１】特開平９−１８６５４０号公報
【特許文献２】特開平１−１８９２１５号公報（第１図）
【発明の概要】
【発明が解決しようとする課題】
【０００７】
しかしながら、特許文献１記載の騒音感応自動音量調整装置や、特許文献２記載の音声出力装置を携帯型の音響再生装置に適用した場合、その音響再生装置は電車に乗っていてトンネルに入ったときなど、周囲の騒音が大きくなりすぎると、音響再生装置の音量も極めて大きくすることになり、かえって聴取しづらくなったり、聴覚に障害を起こすおそれもあるので、音量を大きくすることにも限界がある。
【０００８】
そこで、音量に上限を設けることになるが、そうすると騒音が大きい時は音楽を聞き逃すばかりでなく、騒音と再生音とが一緒になってしまい、結果として騒音を増大させてしまう。
【０００９】
このように従来の音響再生装置は、騒音が大きすぎるときは音楽や音声番組を聴取することができないという課題がある。
【００１０】
本発明は以上の点に鑑みなされたもので、騒音が大きいときでも騒音を増大させることがなく、音楽や音声番組を聞き逃す恐れのない音響再生装置を提供することを目的とする。
【課題を解決するための手段】
【００１１】
上記の目的を達成するため、本発明は、再生すべき音源信号を記憶する記憶手段と、記憶手段に記憶された音源信号を再生する再生手段と、周囲の騒音の音量を検出する音量検出手段と、再生手段で再生した音源信号を再生機器に向けて出力する出力端子と、音量検出手段が検出した周囲の騒音の音量が所定の第１の値よりも大きい状態が第１の時間継続するときは再生手段の再生を停止するとともに、その後周囲の騒音の音量が所定の第２の値よりも小さい状態が第２の時間継続するときは再生手段の再生を停止した時点に対し第１の時間よりも長い所定時間に相当する再生開始側の時点から記憶手段に記憶された音源信号の再生手段による再生を開始させる制御手段とを有することを特徴とする。
【発明の効果】
【００１２】
本発明によれば、周囲の騒音に応じて再生音量を調整するとともに、周囲の騒音が所定の値よりも大きいときは一旦再生を停止させ、騒音が小さくなったのちに再生を停止させた時点から少し戻った時点から再生を再開するものとしたので、騒音が大きいときでも騒音を増大させることがなく、また音楽や音声番組を聞き逃す恐れをなくすことができる。
【図面の簡単な説明】
【００１３】
【図１】本発明の音響再生装置の一実施形態を示すシステム構成図である。
【図２】本発明の音響再生装置の一実施の形態のブロック図である。
【図３】本発明の音響再生装置の再生制御説明用フローチャートである。
【図４】従来の音声出力装置の一例のブロック図である。
【発明を実施するための形態】
【００１４】
以下、本発明の実施の形態について、添付図面を参照して詳細に説明する。
【００１５】
図１は、本発明の音響再生装置の一実施の形態の外観構成図を示す。同図において、携帯型音響再生装置１０はヘッドホン１１に接続されると共にマイクロホン１２を有する。ここでヘッドホン１１はイヤホンを含むこととする。また、マイクロホン１２は携帯型音響再生装置１０に設けられているがこれに限らず、ヘッドホン１１に設けてもよい。
【００１６】
図２は、本発明の音響再生装置の一実施の形態のブロック図を示す。同図中、図１と同一構成部分には同一符号を付してある。図２において、携帯型音響再生装置１０は、電源部１０１、半導体メモリなどの記憶部１０２、読み取り部１０３、復号部１０４、増幅率が制御信号により可変制御可能な増幅部１０５、出力端子１０６、制御部１０７、操作部１０８により構成されている。
【００１７】
ヘッドホン１１は、携帯型音響再生装置１０の出力端子１０６に接続されている。記憶部１０２には例えば複数の楽曲や語学学習の教材がＭＰ３（Mpeg1 Audio Layer3）形式で圧縮されて記録されている。各部には電源部１０１から電源が供給されている。
【００１８】
いま、携帯型音響再生装置１０の操作部１０８を操作して再生を指示すると、制御部１０７の制御により記憶部１０２に記憶された楽曲のＭＰ３ファイルが読み取り部１０３で読み出され、復号部１０４で復号されて、増幅部１０５で増幅された後出力端子１０６から音響信号として出力される。これにより、ユーザはヘッドホン１１で楽曲を聴くことができる。この楽曲を聴いている状態で携帯型音響再生装置１０は、以下説明する再生制御を行う。
【００１９】
以下、図３のフローチャートに基づき本実施の形態の音響再生装置の再生の制御の手順について説明する。まず、制御部１０７はマイクロホン１２で収音した周囲の騒音の音声信号を検波して周囲の騒音の音量を検出し、その音量が第１の値よりも大きいかどうかを判断する（ステップＳ３０１）。
【００２０】
周囲の騒音の音量が第１の値以下のときは、制御部１０７は周囲の騒音の音量に比例した増幅率を増幅部１０５に指示して増幅を行い、出力端子１０６から音声信号を出力する（ステップＳ３０２）。これにより、周囲の騒音の音量が第１の値以下のときは、ユーザは騒音の音量に応じて再生音量が自動的に制御された楽曲をヘッドホン１１で聴くことができる。
【００２１】
周囲の騒音の音量が第１の値よりも大きいときは、制御部１０７はその状態が第２の時間Ｔ２、例えば４秒以上継続するかどうかを監視し（ステップＳ３０３）、４秒以上継続した場合は、復号部１０４に復号を停止させ、再生を停止する（ステップＳ３０４）。このとき再生を停止した時点をＡ時点とする。本実施の形態では例えばＡ時点は時間：分：秒の表示で１：３０：４５であるとする。
【００２２】
制御部１０７は再生を停止したら再び周囲の騒音の音量を監視して、周囲の騒音の音量が第３の値よりも小さくなったかどうかを判断する（ステップＳ３０５）。この第３の値は第１の値よりも小さくすることにより動作が不必要に繰り返されることを防止することができる。周囲の騒音の音量が第３の値よりも小さいときは、制御部１０７はその状態が第４の時間Ｔ４、例えば４秒以上継続するかどうかを監視し（ステップＳ３０６）、４秒以上継続した場合は、復号部１０４に復号を開始させ、再生を開始する（ステップＳ３０７）。
【００２３】
このとき復号部１０４はＡ時点から第５の時間Ｔ５（固定）だけ戻った時点から復号を行う。例えば、Ａ時点が１：３０：４５、第５の時間Ｔ５が６秒であったときは、１：３０：３９から再生を開始するものとする。このときの第５の時間Ｔ５は第２の時間Ｔ２よりも長く設定する。
【００２４】
これにより、周囲の騒音の音量が第１の値よりも大きく発生したために再生停止するまでの第２の時間の間に聞き逃した部分があっても、周囲の騒音の音量が第３の値よりも小さくなり騒音が無くなってから第５の時間Ｔ５だけ戻って再生されるので、聞き逃した部分は必ず再生され、聞き逃しを生じることがない。聴取している音声番組が語学学習教材であったり、落語などのストーリー性のある番組の場合、聞き逃しが生じないのでより効果的である。また、再生を停止するときはフェードアウトさせ、再生を開始するときはフェードインさせれば、より聞き取りやすく好適である。
【００２５】
このように、本実施の形態の携帯型音響再生装置１０によれば、騒音が所定の音量以下のときは、騒音の大きさに応じて再生音量を可変するとともに、騒音が所定の音量よりも大きいときは、騒音が収まるまで再生を停止して、騒音が収まった後に、再生を停止した時点から所定の時間戻った時点から再生を開始するものとしたので、騒音が大きいときでも騒音を増大させることがなく、また音楽や音声番組を聞き逃す恐れをなくすことができる。
【符号の説明】
【００２６】
１０    携帯型音響再生装置
１１    ヘッドホン
１２    マイクロホン
１０１  電源部
１０２  記憶部
１０３  読み取り部
１０４  復号部
１０５  増幅部
１０６  出力端子
１０７  制御部
１０８  操作部
【図１】
2012058355.tif 000003
【図２】
2012058355.tif 000004
【図３】
2012058355.tif 000005
【図４】
2012058355.tif 000006